(57)【要約】【課題】外部装置を容易に接続することができる電子機器を提供する。【解決手段】外部装置を接続可能な接続部と、非接触で前記外部装置に関する情報を取得する情報取得部と、前記情報取得部によって取得された前記情報に基づいて前記外部装置を認識する認識部と、前記認識部により認識された前記外部装置と前記接続部との接続に関する情報を出力する案内部とを備える。【選択図】図２
2011248733.tif 000002
【特許請求の範囲】
【請求項１】
外部装置を接続可能な接続部と、
非接触で前記外部装置に関する情報を取得する情報取得部と、
前記情報取得部によって取得された前記情報に基づいて前記外部装置を認識する認識部と、
前記認識部により認識された前記外部装置と前記接続部との接続に関する情報を出力する案内部と
を備えることを特徴とする電子機器。
【請求項２】
さらに、音声入力部を備え、
前記情報取得部は、前記音声入力部により入力された前記外部装置に関する音声情報を取得することを特徴とする請求項１記載の電子機器。
【請求項３】
さらに、撮像部を備え、
前記情報取得部は、前記撮像部により得られた前記外部装置の画像情報を取得することを特徴とする請求項１記載の電子機器。
【請求項４】
さらに、音声情報を出力する音声出力部を備え、
前記案内部は、前記音声出力部から接続に関する音声情報を出力させることを特徴とする請求項１〜３の何れか一項に記載の電子機器。
【請求項５】
さらに、表示情報を表示する表示部を備え、
前記案内部は、前記接続部の形状情報及び前記接続部の位置情報を前記表示部に表示させることを特徴とする請求項１〜３の何れか一項に記載の電子機器。
【請求項６】
前記形状情報は、前記接続部の画像情報であることを特徴とする請求項５記載の電子機器。
【請求項７】
前記位置情報は、前記接続部の配置位置を示す画像情報であることを特徴とする請求項５または６記載の電子機器。
【請求項８】
前記案内部による案内の後、所定時間内に前記外部装置が前記接続部に接続されなかった場合には、接続されなかった旨の情報の出力を行うことを特徴とする請求項１〜７の何れか一項に記載の電子機器。
【請求項９】
請求項１〜４及び８の何れか一項に記載の前記外部装置は、記録媒体を備え、
前記記録媒体に記録された画像情報を表示可能な表示部を備えることを特徴とする電子機器。
【請求項１０】
請求項５〜７の何れか一項に記載の前記外部装置は、記録媒体を備え、
前記表示部は、前記記録媒体に記録された画像情報を表示可能であることを特徴とする電子機器。
【発明の詳細な説明】
【技術分野】
【０００１】
本発明は、電子機器に関するものである。
【背景技術】
【０００２】
従来、タッチパネルを用いて本体に接続する記憶媒体を指定する表示装置が存在する（例えば、特許文献１参照）。
【先行技術文献】
【特許文献】
【０００３】
【特許文献１】特開平１０−３４０１７４号公報
【発明の概要】
【発明が解決しようとする課題】
【０００４】
しかしながら、ユーザ自身が複数の選択肢の中から記憶媒体を選択して指定しなければならないため、選択に手間がかかることがあった。
【０００５】
本発明の目的は、外部装置を容易に接続することができる電子機器を提供することである。
【課題を解決するための手段】
【０００６】
本発明の表示装置は、外部装置を接続可能な接続部と、非接触で前記外部装置に関する情報を取得する情報取得部と、前記情報取得部によって取得された前記情報に基づいて前記外部装置を認識する認識部と、前記認識部により認識された前記外部装置と前記接続部との接続に関する情報を出力する案内部とを備えることを特徴とする。
【発明の効果】
【０００７】
本発明によれば、外部装置を容易に接続することができる。
【図面の簡単な説明】
【０００８】
【図１】実施の形態に係るデジタルフォトフレームの前面を示す斜視図である。
【図２】実施の形態に係るデジタルフォトフレームのシステム構成を示すブロック図である。
【図３】実施の形態に係る外部装置の接続に関する情報出力処理を示すフローチャートである。
【図４】実施の形態に係るＬＣＤパネルにおける表示状態を示す図である。
【図５】実施の形態に係るＬＣＤパネルにおける表示状態を示す図である。
【図６】実施の形態に係る外部装置毎に記憶されている各種情報を示す図である。
【図７】実施の形態に係る接続部毎に外観を示す画像が記憶されていることを示す図である。
【発明を実施するための形態】
【０００９】
以下、図面を参照して本発明の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態においては、机等に立て掛けて設置するもの（電子写真立て）を例にして説明する。
【００１０】
図１は、本発明の実施の形態に係るＤＰＦの外観を示す斜視図である。ＤＰＦ２は、ガラスやプラスチック等からなる装置本体４を備え、装置本体４の前面には、鑑賞用の画像や時刻等の情報が電気的に表示される表示部としてのＬＣＤパネル６、操作者から発せられる音声を取得するマイク８、ＤＰＦ２に接続するメモリカードやデジタルカメラ等の外部装置を撮像するカメラ１０、音楽や音声が出力されるスピーカ１２及び図示しないＤＰＦ２の操作用リモコンから出力される赤外線を検出する赤外線検出部１４が設けられている。ここで、マイク８は、装置本体４の前面上端の両側部、スピーカ１２は、前面下端の両側部に配置され、カメラ１０は、前面上端の中央部、赤外線検出部１４は、前面下端の中央部に配置されている。なお、ＬＣＤパネル６には、操作者によるタッチにより入力可能なタッチパネル７が重ね合わされた状態で設けられる。
【００１１】
また、装置本体４の上面には、ＤＰＦ２の電源のオン／オフ状態を切り替える電源スイッチ１４、ＤＰＦ２の機能設定やＬＣＤパネル６の表示設定の際に使用する操作キー１６が設けられている。また、装置本体４の一方の側面には、画像や音楽等のデータが記憶されたメモリカードが挿入されるメモリカードスロット１８、ＵＳＢケーブルの端子等が接続されるＵＳＢポート２０及びイーサネット（登録商標）規格等のネットワークケーブルが接続されるネットワーク端子２２が設けられている。ここでメモリカードスロット１８は、ＳＤカード、ＸＤピクチャーカード、コンパクトフラッシュカード、メモリスティック、マイクロＳＤカード等が装着できるように複数のスロットを備えている。
【００１２】
図２は、実施の形態に係るＤＰＦ２のシステム構成を示すブロック図である。ＤＰＦ２の各部を統括的に制御するＣＰＵ３０には、上述のマイク８、カメラ１０、赤外線検出部１３、電源スイッチ１４、操作キー１６、メモリカードスロット１８、ＵＳＢポート２０及びネットワーク端子２２が接続されている。また、画像データ、音楽データ、後述する外部装置の接続に関する情報出力処理（図３のフローチャートで示す処理）を実行するためのプログラムが記憶される内部メモリ３２が接続されている。ここで、内部メモリ３２には、カメラ１０から出力された撮像信号から生成された画像データ及びマイク８により取得した音声データも一時的に記憶される。また、内部メモリ３２には、マイク８により入力された音声またはカメラ１０により撮像された画像の画像データに基づいて外部装置を認識するための情報、即ち図６に示すように、外部装置の機種毎に、照合用データ、接続位置データ、接続方法データ及び画像データが記憶されている。
【００１３】
ここで照合用データとしては、音声照合用、画像照合用のいずれかもしくは両方の照合用情報が記憶されている。また、接続位置データとしては、後述する接続部の位置を示す矢印を表示する表示画面上での座標、矢印の方向に関する情報が記憶されている。また、接続方法データとしては、図５に示されている「ＵＳＢケーブルを接続してください」等のメッセージを表示するための情報及び接続部を特定するための情報が記憶されている。また、画像データとしては、外部装置の外観を表示するための画像データが記憶されている。更に内部メモリ３２には、図７に示す情報、即ち図６に示す「接続方法データ」の「接続部を特定するための情報」により特定された接続部の外観を表示するための画像データが接続部に対応付けて記憶されている。
【００１４】
また、ＣＰＵ３０には、ＬＣＤパネル６に表示される画像や情報等の表示制御を行う表示制御部３４、タッチパネル７が接続されている。ここでタッチパネル７からＣＰＵ３０に対してタッチ位置を示す信号が出力されると、ＣＰＵ３０は現在のＬＣＤパネル６の表示内容に対応したタッチ位置が示す操作内容を判定し、その操作内容のための処理を実行するように構成されている。また、ＣＰＵ３０には、スピーカ１２から出力される音楽や音声の再生制御を行う再生制御部３６及び時間を計測するタイマ４６が接続されている。
【００１５】
次に、図３に示すフローチャートを参照して、本発明の実施の形態に係る外部装置の接続に関する情報出力処理について説明する。なお、図３のフローチャートで示す処理は、ＣＰＵ３０が内部メモリ３２から読み出したプログラムを実行することにより行われる。
【００１６】
操作者による操作キー１６の操作により接続モードへの移行の指示が行われると（ステップＳ１０）、ＣＰＵ３０は接続モードの設定の可否を操作者に問い合わせる確認画面をＬＣＤパネル６に表示させる（ステップＳ１１）。具体的には、ＣＰＵ３０は、接続モードの設定の可否を示すボタン（「はい」、「いいえ」）をＬＣＤパネル６に表示させ、操作者がタッチパネル７において目的に合うボタンをタッチすることにより設定の可否を決定する。即ち、ＣＰＵ３０により「はい」のボタンがタッチされたと判定された場合には、ＣＰＵ３０は、現在、設定されているモードである接続モードを維持する。一方、「いいえ」のボタンがタッチされたと判定された場合には、接続モードへの移行を取り消す。従って、操作者が間違えて接続モードへの移行を指示するように操作キー１６を操作した場合には、「いいえ」のボタンをタッチすることにより接続モードへの移行を取り消すことができる。
【００１７】
ステップＳ１１において接続モードが維持されるとＤＰＦ２に接続する外部装置の指定が可能となる（ステップＳ１２）。外部装置の指定が可能となると、操作者は接続する外部装置の機種を示す音声をマイク８を介してＤＰＦ２に入力することにより、接続する外部装置の機種を指定することができる。この場合には、ＣＰＵ３０は、操作者により入力された音声データを文字データに変換し、内部メモリ３２に記憶されている照合用データ（図６参照）と一致しているか否かを判定することにより、使用者が指定した外部装置の機種を特定する。例えば、接続する外部装置が図６に示す各種情報が記憶されている外部装置「カメラ０００１」である場合には、操作者はマイク８に対し「カメラ０００１」と声を発する。ＣＰＵ３０は、マイク８により入力された音声を文字データに変換し、変換された文字データと内部メモリ３２に記憶されている照合用データとを比較して、ＤＰＦ２に接続する外部装置が「カメラ０００１」であると認識する。また例えば、接続する外部装置が図６に示す各種情報が記憶されている「メモリカード１００２」である場合には、操作者はマイク８に対し「メモリカード１００２」と声を発する。ＣＰＵ３０は、マイク８により入力された音声を文字データに変換し、変換された文字データと内部メモリ３２に記憶されている照合用データとを比較して、ＤＰＦ２に接続する外部装置が「メモリカード１００２」であると認識する。
【００１８】
なお、操作者は外部装置の機種の指定をカメラ１０を用いて行うこともできる。この場合には、操作者は接続する外部装置をカメラ１０の撮像領域にかざし、カメラ１０により外部装置の外観を撮像する。そして外部装置の画像データと内蔵メモリ３２に記憶されている照合用データ（図６参照）とが一致しているか否かを判定することにより、使用者が指定した外部装置の機種を特定する。即ち、ＣＰＵ３０は、カメラ１０により撮像された外部装置の画像データと内部メモリ３２に記憶されている照合用データの画像データとを比較して、ＤＰＦ２に接続する外部装置が、例えば「カメラ０００１」であると認識する。
【００１９】
次に、ＣＰＵ３０は、ステップＳ１２において認識された外部装置が正しいか否かを操作者に問い合わせる確認画面をＬＣＤパネル６に表示させる。この確認画面には、認識された外部装置本体の画像、及びこの外部装置が正しいか否かを操作者に問い合わせるためのメッセージ等が含まれる。具体的には、図４に示すように、認識された外部装置、即ち、例えば「カメラ０００１」本体の画像５０を図６に示す画像データ「ＩＭＡＧＥ０００１」を用いてＬＣＤパネル６に表示すると共に、「「カメラ」を接続しますか？」のメッセージ及び接続の可否を示すボタン（「はい」、「いいえ」）をＬＣＤパネル６に表示する。ここで、ＣＰＵ３０により操作者が「はい」のボタンをタッチしたと判定された場合には（ステップＳ１３）、ステップＳ１５に進む。一方、ＣＰＵ３０により「いいえ」のボタンをタッチしたと判定された場合には、内部メモリ３２に記憶されている外部装置機種（図６参照）の一覧をＬＣＤパネル６に表示する（ステップＳ１４）。そして、ＣＰＵ３０により、外部装置機種の一覧の中から操作者が接続する外部装置をタッチしたことが判定された場合に、ＣＰＵ３０は接続する外部装置を決定し、ステップＳ１５に進む。
【００２０】
ステップＳ１５においては、ステップＳ１２で認識された外部装置またはステップＳ１５で選択された外部装置とＤＰＦ２との接続に関する情報を出力する（ステップＳ１５）。即ち、「接続方法に関する情報」、「接続部の画像」、「接続位置に関する情報」を操作者が視覚的に把握できるように表示する。例えば、図５に示すように、「カメラ０００１」とＤＰＦ２との接続に関する情報として、「ＵＳＢケーブルを接続してください」のメッセージが図６に示す接続方法データ「方法ＤＡＴＡ０００１」に基づいて表示される。またＵＳＢケーブルの端子を接続するＵＳＢポート２０の形状の画像６２が図７に示す画像データ「接続部ＩＭＡＧＥ０１」に基づいて表示される。またＵＳＢポート２０の位置を指示する矢印６４が図６に示す接続位置データ「接続位置ＤＡＴＡ０００１」に基づいて表示される。更にステップＳ１３に戻るための「前に戻る」のボタンが表示される。ここで、画像６２及び矢印６４をＬＣＤパネル６に表示することにより、ＵＳＢケーブルの端子を接続するＵＳＢポート２０の形状及び位置が明確になるため接続の間違いを防ぐことができる。また、接続する外部装置がメモリカードスロット１８を構成する複数のスロットのいずれかに接続されるメモリカードである場合には、図７に示す画像データに基づいて接続部の画像が表示されるため接続するスロットを正確に認識することができる。なお、「前に戻る」のボタンが操作者によりタッチされると案内を中止しステップＳ１３に戻る。
【００２１】
また、タイマ４６により案内の開始後の時間を計測し、ＣＰＵ３０は所定時間内にＵＳＢケーブルの端子がＵＳＢポート２０に接続されたかを否かを判別する。そして、所定時間内にＵＳＢケーブルの端子が接続されたと判定された場合には、ＣＰＵ３０は、「接続されました」等の正しく接続された旨のメッセージをＬＣＤパネル６に表示させる指示を出力し外部装置の接続に関する情報出力処理を終了する。一方、所定時間内にＵＳＢケーブルの端子がＵＳＢポート２０に接続されなかったと判定された場合には、ＣＰＵ３０は「接続されていません」等の接続されなかった旨のメッセージをＬＣＤパネル６に表示させる指示を出力する。そして、ＣＰＵ３０はステップＳ１５における処理を再度行い、所定時間内にＵＳＢケーブルの端子が接続されたと判定された場合には、正しく接続された旨のメッセージをＬＣＤパネル６に表示し、外部装置の接続に関する情報出力処理を終了する。
【００２２】
本発明の実施の形態に係るデジタルフォトフレームによれば、非接触で取得した外部装置の情報に基づいて本体と接続する外部装置を認識し、認識された外部装置と本体との接続に関する情報を出力することができるため、本体と接続する外部装置を選択する手間を省き、外部装置を容易に接続することができる。
【００２３】
なお、上述の実施の形態においては、接続モードへの移行の指示を行うために操作キー１６を用いているが、操作用リモコン、ＬＣＤパネル６またはマイク８を用いてもよい。操作用リモコンを用いる場合には、操作者による操作用リモコンの操作により、接続モードへの移行の指示が行なわれる。ＬＣＤパネル６を用いる場合には、ＬＣＤパネル６に表示される「外部装置接続」のボタンを操作者がタッチすることにより接続モードへの移行の指示が行なわれる。マイク８を用いる場合には、操作者がマイク８に対し「接続」または「接続する」と声を発することにより接続モードへの移行の指示が行なわれる。
【００２４】
また、上述の実施の形態においては、接続モードの設定の可否または認識された外部装置が正しいかどうかについて、ＬＣＤパネル６に表示されるボタン（「はい」、「いいえ」）を操作者がタッチすることにより決定しているが、操作キー１６、操作用リモコンまたはマイク８を用いて決定してもよい。操作キー１６または操作用リモコンを用いる場合には、操作者による操作キー１６または操作用リモコンの操作により決定される。また、マイク８を用いる場合には、操作者がマイク８に対し「はい」または「いいえ」と声を発することにより決定される。
【００２５】
また、上述の実施の形態においては、ＤＰＦ２に接続する外部装置を指定するためにマイク８を用いているが、操作キー１６、操作用リモコン及びＬＣＤパネル６を用いてもよい。この場合には、内部メモリ３２に記憶されている外部装置一覧をＬＣＤパネル６に表示する。そして、操作者による操作キー１６若しくは操作用リモコンの操作またはタッチにより、外部装置一覧の中から接続する外部装置を指定する。
【００２６】
また、上述の実施の形態においては、案内部４８による案内を中止しステップＳ１３に戻るために、ＬＣＤパネル６に表示される「前に戻る」のボタンをタッチしているが、操作キー１６及びマイク８を用いてもよい。操作キー１６を用いる場合には、操作者による操作キー１６の操作によりステップＳ１３に戻る。また、マイク８を用いる場合には、操作者がマイク８に対し「戻る」または「前に戻る」等と声を発することによりステップＳ１３に戻る。
【００２７】
なお、上述の実施の形態において、接続する外部装置とＤＰＦ２との接続に関する情報をスピーカ１２から出力してもよい。この場合には、ステップＳ１２で認識された外部装置またはステップＳ１５で選択された外部装置とＤＰＦ２との接続に関する情報をＬＣＤパネル６に表示すると共に「ＵＳＢケーブルを接続してください」等の音声及びＵＳＢポート２０等の位置を指示する所定の音声をスピーカ１２から出力する。なお、ＬＣＤパネル６とスピーカ１２の何れか一方を用いて外部装置とＤＰＦ２との接続に関する情報を出力してもよい。
【００２８】
また、上述の実施の形態において、「デジタルカメラ」とＤＰＦ２との接続に関する情報を出力した後に、「デジタルカメラ」以外の外部装置をＤＰＦ２に接続してもよい。例えば、「デジタルカメラ」とＤＰＦ２との接続に関する情報を出力したにもかかわらず、ＤＰＦ２のメモリカードスロット１８にメモリカードが接続された場合には、ＣＰＵ３０は、接続する外部装置の選択を示すボタン（「メモリカードを接続する」、「ＵＳＢケーブルを接続する」）をＬＣＤパネル６に表示させる指示を出力し、ＬＣＤパネル６に外部装置の選択を示すボタン表示させる。そして、ＣＰＵ３０は「メモリカードを接続する」のボタンが操作者によりタッチされたと判定された場合には、メモリカードに記録されたデータの読込みを行う。一方、ＣＰＵ３０は「ＵＳＢケーブルを接続する」のボタンが操作者によりタッチされた場合には、メモリカードに記録されたデータの読込みを行わずに、再度「デジタルカメラ」とＤＰＦ２との接続に関する情報を出力する。
【００２９】
また、上述の実施の形態においては、メモリカードスロット１８、ＵＳＢポート２０及びネットワーク端子２２が装置本体４の一方の側面に設けられているが、装置本体４のＬＣＤパネル６が設けられる面の背面に設けてもよい。この場合には、「デジタルカメラ」とＤＰＦ２との接続に関する情報をＬＣＤパネル６に表示する際に、ＣＰＵ３０は、ＵＳＢポート２０等の位置を指示する矢印６４に代えて、点滅する所定のマーク及び所定のマークの位置の背面にＵＳＢポート２０等が位置することを示す情報をＬＣＤパネル６に表示させる指示を出力しＬＣＤパネル６に表示させる。
【００３０】
また、上述の実施の形態において、ＤＰＦ２に接続する外部装置として近接無線により接続可能な外部装置を指定してもよい。この場合には、操作者はマイク８に対し「無線」と声を発すると、ＣＰＵ３０はＤＰＦ２に接続する外部装置が近接無線により接続可能な外部装置であることを認識する。そして、ステップＳ１３において認識された外部装置が正しい外部装置として決定されると、近接無線により接続可能な外部装置とＤＰＦ２との接続に関する情報を出力する。この場合には、「外部装置をここにかざして下さい」等の外部装置をＤＰＦ２に近づける位置を指示する旨のメッセージをＬＣＤパネル６に表示する。
【００３１】
また、上述の実施の形態において、ＤＰＦ２に接続する外部装置としてデジタルカメラ、メモリカードについて説明したが、携帯電話、他のＤＰＦ、パーソナルコンピュータ等をＤＰＦ２に接続する外部装置としてもよい。
【符号の説明】
【００３２】
２…ＤＰＦ、６…ＬＣＤパネル、７…タッチパネル、８…マイク、１０…カメラ、１２…スピーカ、１８…メモリカードスロット、２０…ＵＳＢポート、２２…ネットワーク端子、３０…ＣＰＵ。
【図１】
2011248733.tif 000003
【図２】
2011248733.tif 000004
【図３】
2011248733.tif 000005
【図４】
2011248733.tif 000006
【図５】
2011248733.tif 000007
【図６】
2011248733.tif 000008
【図７】
2011248733.tif 000009